(57)【特許請求の範囲】
【請求項１】
２〜８万分子量、１５〜２５万分子量のキトサンそれぞれを酸に溶解させてなる植物栽培液剤。
【請求項２】
２−８万分子量、１５−２５万分子量、３５〜４５万分子量のキトサンそれぞれを酸に溶解させてなる植物栽培用液剤。
【発明の詳細な説明】
【０００１】
【発明の属する技術分野】
この発明は、キトサンよりなる植物栽培用液剤に関する。
【０００２】
【従来の技術】
従来よりカニ殻より生成されるキトサンは植物栽培に広く使用されている。すなわち、キトサン溶液が土壌に散布されるとそれを餌（蛋白源）とする放線菌等の微生物が増殖し、この微生物がチッ素やリン酸肥料を分解することで土壌が活性化され、これにより植物の根張りが良くなるとともに、連作障害が抑制されて植物の発育が良好に行なわれるようになる。また、キトサン溶液を葉面に散布することで葉の細胞に蛋白源が直接与えられ、これにより、葉の細胞が活性化されて茂りが良くなり、病害虫にも強くなる。
【０００３】
【発明が解決しようとする課題】
しかしながら、従来ではある程度の高分子量のキトサンを酸で溶解させた液剤を土壌、葉面に適当に散布しているに過ぎず、十分なる使用効果が得られていない。
【０００４】
この発明は上記の事情に鑑みて行なったもので、用途に対応して有効に使用されるキトサンよりなる植物栽培用液剤を提供することを目的とする。
【０００５】
【課題を解決するための手段】
この発明の第１の発明（請求項１）では分子量が異なる複数種類のキトサンを酸に溶解させてなる植物栽培用液剤を提供する。第２の発明（請求項２）では、２〜８万分子量、１５〜２５万分子量のキトサンそれぞれを酸に溶解させてなる植物栽培用液剤を提供する。また、第３の発明（請求項３）では、２〜８万分子量、１５〜２５万分子量、３５〜４５万分子量のキトサンそれぞれを酸に溶解させてなる植物栽培用液剤を提供する。
【０００６】
発明者は、長年のキトサンに関しての鋭意研究の結果、次の点それぞれを確認した。まず、酸に溶解されて液体化したキトサンは酸の作用により時間経過に伴って低分子化し最後には水となる。そして、キトサンは上記低分子状態（５万分子量程度）からのみ微生物や葉面植物細胞が分泌するキトサナーゼ等の酵素の働きによりオリゴ糖化して蛋白源となる。また、酸により液体化したキトサン液剤は用いるキトサンの分子量が大きくなるほど粘性が高くなり、葉面等に散布された場合キトサンの分子量が小さいものは流れやすく分子量が大きいものは膜化しやすい。
【０００７】
上記観点において、第１の発明の植物栽培用液剤は、時間経過とともにキトサンは低分子化していくが、分子量が異なるキトサンを含んでいる故に全てのキトサンがオリゴ糖化可能な低分子となるまでに時間がかかり、これにより栄養供給効果が持続される。
【０００８】
上記第２の発明の植物栽培用液剤が葉面に散布されると、分子量が２〜８万と低分子量のキトサンは葉面植物細胞が分泌するキトサナーゼ等の酵素によりオリゴ糖化されて葉面植物細胞に吸収される。分子量が１５〜２５万と中分子量のキトサンは時間が経過して低分子化した後にオリゴ糖化されて吸収される。このように低分子量のキトサンを含む故に速効性にすぐれ、さらに、中分子量のキトサンを含む故に効果は持続する。また、中分子量のキトサンを含む故に液剤は粘性を持ち、これにより、葉面への付着機能に優れる。また、キトサンが高分子量でないので膜化することなくて葉面散布に適する。膜化するとキトサンのオリゴ糖化さらにはその吸収が阻害される。このようにして、第２の発明によれば葉面散布用として好適な植物栽培用液剤が得られる。葉面散布使用の場合には液剤は風雨等にさらされ消失するのが早いので速効性に優れることが肝要でそれほど効果の持続性は必要としない。この点においても第２の発明の植物栽培用液剤が高分子量のキトサンを含まないことに合理性を持つ。この第２の発明の植物栽培用液剤は土壌散布使用することもできる。
【０００９】
上記第３の発明の植物栽培用液剤が土壌面に散布されると、分子量が２〜８万の低分子量のキトサンは土壌微生物が分泌するキトサナーゼ等の酵素によりオリゴ糖化されて土壌微生物に吸収される。分子量が１５〜２５万の中分子量のキトサン、３５〜４５万の高分子量のキトサンそれぞれは時間が経過して低分子化した後にオリゴ糖化されて吸収される。第３の発明の植物栽培用液剤はこのように低分子量のキトサンを含む故に速効性にすぐれ、さらに、中分子量のキトサンを含む故に効果は持続し、しかも高分子量のキトサンを含むので高分子のものが低分子化するのに時間がかかることで効果の持続性がさらに高められる。液剤を入手後使用するまでに時間経過する場合もあり、その際にも効果が持続するので支障なく使用できる。第３の発明によれば土壌散布用として好適な植物栽培用液剤が得られる。
【００１０】
上記第１、第２、第３の発明において用いられる酸としては適宜のものを用いればよいが、環境衛生上、また、野菜等を栽培する点からみれば、酢酸、リンゴ酢、米酢、乳酸等の食品添加用、加工用のものを用いるのが安全で酸濃度はＰＨ３．５〜４．５程度が好ましい。また、第１、第２、第３の発明の液剤には栽培対象植物に対応して適宜栄養剤等を添加してもよい。また、各分子量毎の使用割り合いは用途に対応して適宜であってよく、例えば、葉面散布用のものでとくに速効性を求める場合には低分子量のキトサンの配合割合を高め、逆に果樹や樹木等の永年作物に対して年に２〜３回程度の土壌散布行なう場合は効果の持続性を高めるように高分子量のキトサンの配合割合を高める。
【００１１】
【発明の実施の形態】
第１または第２の発明に対応する植物栽培用液剤Ａ、第１または第３の発明に対応する植物栽培用液剤Ｂの実施の形態を示す。
【００１２】
酢酸（ＰＨ３．５）に、５万分子量、２０万分子量のキトサンそれぞれを１：１の割合でキトサン全体が液剤全体に対して２．０重量％となるように溶解させて植物栽培用液剤Ａを得る。酢酸（ＰＨ３．５）に５万分子量、２０万分子量、４０万分子量のキトサンそれぞれを１：１：１の割合でキトサン全体が液剤全体に対して２．０重量％となるように溶解させて植物栽培用液剤Ｂを得る。
【００１３】
［使用例１］
植物栽培用液剤Ｂを１５０倍に希釈したものを短期（１．５〜２ケ月）葉物であるホーレン草の種まき時に土壌散布（１０ａ当たり５リットル）したところ、従来のキトサン使用（４０分子量程度の高分子量のキトサンを酢酸に溶解させた液剤の使用）の場合に比して、生育が早く色艷が良くて緑色の濃い肉厚のある太葉が形成された。
【００１４】
［使用例２］
植物栽培用液剤Ａを３５０倍に希釈したものを短期（１．５〜２ケ月）葉物であるホーレン草の葉数が８〜１０枚の時に適量葉面散布したところ、従来のキトサン使用の場合に比して、生育が早く色艷が良くて緑色の濃い肉厚のある太葉が形成された。
【００１５】
［使用例３］
植物栽培用液剤Ｂを１５０倍に希釈したものを短期（１．５〜２ケ月）葉物であるホーレン草の種まき時に土壌散布（１０ａ当たり５リットル）し、植物栽培用液剤Ａを３５０倍に希釈したものを葉数が８〜１０枚の時に葉面散布（１０ａ当たり５リットル）したところ、従来のキトサンを使用（同時期に２回使用）した場合より使用例１、使用例２で確認された効果がより顕著に得られた。
【００１６】
［使用例４］  植物栽培用液剤Ａを２００倍に希釈したものをブドウの新芽の出る前に、３５０倍に希釈したものを若葉の初期頃と結実後とに葉面散布したところ、従来のキトサン使用（同時期に３回使用）の場合に比して実入りが良く、実の落下が少ないという効果が顕著であった。
【００１７】
［使用例５］  植物栽培用液剤Ａを３５０倍に希釈したものをバラの若葉の初期頃葉面散布したところ、従来のキトサン使用の場合に比して色艶が良く、深みを感じる鮮やかな花が咲いた。
【００１８】上記の他に、稲、芝生、茶等において上記植物栽培用液剤Ａを葉面散布に植物栽培用液剤Ｂを土壌散布に使い分けて使用した場合、従来のキトサン使用の場合に比して明らかにどの場合も良好な結果が得られた。
【００１９】
【発明の効果】
この発明によれば、栄養供給の持続性に優れるキトサンよりなる植物栽培用液剤が得られる。また、速効性、栄養供給の持続性に優れるとともに葉面付着性に優れ、しかも、葉面散布時に膜化することのない葉面散布にきわめて好適なキトサンよりなる植物栽培用液剤が得られる。また、速効性にすぐれるとともに、特に栄養供給の持続性に優れる土壌散布にきわめて好適なキトサンよりなる植物栽培用液剤が得られる。